(57)【要約】      （修正有）【課題】充電及びデータバックアップを同時に行う機能を有する装置を提供する。【解決手段】充電及びデータバックアップを同時に行う機能を有する装置ＱＢは、伝送インターフェイス、電力供給回路、保存回路及びメイン制御回路を備える。伝送インターフェイスは電子装置に接続される。電力供給回路は電子装置に電力を供給し、それによって電子装置を充電する。保存回路は電子装置のデータを保存するか、または保存したデータを電子装置に提供する。メイン制御回路は伝送インターフェイス、電力供給回路及び保存回路に接続され、電力供給回路が電子装置を充電するように制御すると共に、保存回路が同時にデータのバックアップを行うように制御する。【選択図】図３Ｂ
0003229874.tif 000002
【実用新案登録請求の範囲】
【請求項１】
電子装置に接続され、前記電子装置が提供するデータを受信するまたは前記電子装置にデータを提供するために配置される一つまたは複数の伝送インターフェイスと、
前記一つまたは複数の伝送インターフェイスに接続され、前記伝送インターフェイスによって前記電子装置に伝送される電力を供給するために、前記電子装置を充電する電力供給回路と、
前記電子装置のデータを保存するか、または保存したデータを前記電子装置に提供する保存回路と、
前記一つまたは複数の伝送インターフェイス、前記電力供給回路及び前記保存回路に接続され、前記電力供給回路が前記電子装置を充電するように制御すると同時に、前記伝送インターフェイスが受信した前記電子装置のデータを前記保存回路に伝送し、前記保存回路が前記電子装置のデータを保存するデータのバックアップを行うように制御する、メイン制御回路と、
を備える、ことを特徴とする、充電及びデータバックアップを同時に行う機能を有する装置。
【請求項２】
前記電力供給回路が前記電子装置を充電する時、前記メイン制御回路は、前記保存回路が保存したデータを前記伝送インターフェイスを介して前記電子装置に伝送する、請求項１に記載の充電及びデータバックアップを同時に行う機能を有する装置。
【請求項３】
複数の前記伝送インターフェイスは、複数の前記電子装置を前記メイン制御回路にそれぞれ接続し、
前記メイン制御回路は、それぞれの前記電子装置に充電される許可を与えながら、少なくとも一つの前記電子装置に充電及びデータの伝送を同時に行う許可を与える、請求項１に記載の充電及びデータバックアップを同時に行う機能を有する装置。
【請求項４】
前記メイン制御回路は、複数の前記電子装置における一番初めに前記メイン制御回路に接続される前記電子装置に充電及びデータの伝送を同時に行う許可を与える、請求項３に記載の充電及びデータバックアップを同時に行う機能を有する装置。
【請求項５】
充電及びデータの伝送を同時に行う許可を有する前記電子装置と前記伝送インターフェイスとの間の接続が解除されると、前記メイン制御回路は別の前記電子装置に充電及びデータの伝送を同時に行う許可を与える、請求項４に記載の充電及びデータバックアップを同時に行う機能を有する装置。
【請求項６】
前記メイン制御回路に接続され、前記保存回路を前記メイン制御回路を介して複数の前記電子装置中の一つの前記電子装置に接続させるように切り替える、インターフェイスアクセス切替回路、をさらに有する、請求項１に記載の充電及びデータバックアップを同時に行う機能を有する装置。
【請求項７】
前記伝送インターフェイス及び前記電力供給回路に接続され、前記伝送インターフェイスを介して取得した前記電子装置の電力リクエストメッセージによって、前記電力供給回路が前記電子装置に電力を供給するように制御する電源制御回路、をさらに含む、請求項１に記載の充電及びデータバックアップを同時に行う機能を有する装置。
【請求項８】
前記メイン制御回路と前記伝送インターフェイスとの間に接続され、前記伝送インターフェイスが前記インターフェイス制御切替回路を介して前記メイン制御回路に接続されることを禁止または許可するインターフェイス制御切替回路、をさらに含む、請求項１に記載の充電及びデータバックアップを同時に行う機能を有する装置。
【請求項９】
前記インターフェイス制御切替回路に接続され、前記電子装置を識別することにより、前記インターフェイス制御切替回路を制御する識別ユニット、をさらに含む、請求項８に記載の充電及びデータバックアップを同時に行う機能を有する装置。
【請求項１０】
前記メイン制御回路に接続され、前記メイン制御回路による制御により、前記電子装置の認証要求に応答し、認証許可メッセージを前記電子装置に提供することによって、前記電子装置のデータを保存するアクセス許可を取得する認証許可ユニット、をさらに含む、請求項１に記載の充電及びデータバックアップを同時に行う機能を有する装置。
【考案の詳細な説明】
【技術分野】
【０００１】
本考案は充電装置に関し、特に充電及びデータバックアップを同時に行う機能を有する装置に関する。
【背景技術】
【０００２】
社会の快速な発展につれ、人々は電子製品に対する依頼性が高まる。電子製品は小型化につれ、その構造の制限により自身の電池量が不足することが多いため、モバイルバッテリーが発明された。充電・データ伝送ケーブルを介して電子製品をモバイルバッテリーに接続して、それによって、電子装置は正常に作動できるように充分な電力を電子装置に供給する。しかし、携帯電話の充電には時間がかかり、頻繁に行う必要な作業となっている。
【０００３】
電子製品（例えば、携帯電話）は充電・データ伝送ケーブルによってコンピューターでデータのバックアップができるが、携帯電話でデータのバックアップ及びリストアを行うことは、日常の操作に適していない。特に、使用者の携帯電話が紛失したり故障したりした場合には、大量のデータをバックアップすると、長い時間がかかっている。
【０００４】
従来技術では、伝統的な充電器は充電機能のみを有する。そのため、携帯電話を一つの伝統的な充電器（例えば、モバイルバッテリー）で充電した後、他に別のデータ保存回路（例えば、コンピューター）によってデータのバックアップを行う。その場合、使用上に極めて不便であって、全部で極めて長い時間がかかる。
【考案の概要】
【考案が解決しようとする課題】
【０００５】
本考案が解決しようとする課題は、従来技術の不足に対し、充電及びデータバックアップを同時に行う機能を有する装置を提供することである。
【課題を解決するための手段】
【０００６】
本発明に係る充電及びデータバックアップを同時に行う機能を有する装置は、一つまたは複数の伝送インターフェイス、電力供給回路、保存回路及びメイン制御回路を備える。伝送インターフェイスは、電子装置に接続され、電子装置が提供するデータを受信するまたは電子装置にデータを提供するために配置される。電力供給回路は、一つまたは複数の伝送インターフェイスに接続され、電力を供給するために配置され、前記電力は伝送インターフェイスによって電子装置に伝送され、それによって電子装置を充電する。保存回路は、電子装置のデータをアクセスする、または保存回路が保存したデータを提供するために配置される。メイン制御回路は一つまたは複数の伝送インターフェイス、電力供給回路及び保存回路に接続される。メイン制御回路は、電力供給回路が電子装置を充電するように制御すると同時に、伝送インターフェイスが受信した電子装置のデータを保存回路に伝送し、保存回路が電子装置のデータをアクセスするように制御するために配置される。それによってデータのバックアップを行う。
【０００７】
一実施形態において、電力供給回路が電子装置を充電する時、メイン制御回路は保存回路が保存したデータを伝送インターフェイスによって電子装置に伝送する。
【０００８】
一実施形態において、複数の伝送インターフェイスは、複数の電子装置をメイン制御回路にそれぞれ接続し、メイン制御回路はそれぞれの電子装置に充電される権限を許可し、少なくとも一つの電子装置に、充電及びデータの伝送を同時に行う許可を与える。
【０００９】
一実施形態において、メイン制御回路は、複数の電子装置における一番最初にメイン制御回路に接続される電子装置に、充電及びデータの伝送を同時に行う許可を与える。
【００１０】
一実施形態において、充電及びデータの伝送を同時に行う許可を有する電子装置と伝送インターフェイスとの間の接続が解除されると、メイン制御回路は、別の電子装置に充電及びデータの伝送を同時に行う許可を与える。
【００１１】
一実施形態において、前記充電及びデータバックアップを同時に行う機能を有する装置は、インターフェイスアクセス切替回路をさらに有し、前記インターフェイスアクセス切替回路は、メイン制御回路に接続され、保存回路がメイン制御回路を介して複数の電子装置における一つの電子装置に接続されるか、または別の電子装置に接続されるかを切り替えるために配置される。
【００１２】
一実施形態において、前記充電及びデータバックアップを同時に行う機能を有する装置は、電源制御回路をさらに含み、該電源制御回路は、伝送インターフェイス及び電力供給回路に接続され、伝送インターフェイスによって電子装置の電力リクエストメッセージを取得し、それによって電力供給回路が電子装置に供給する電力を制御する。
【００１３】
一実施形態において、前記充電及びデータバックアップを同時に行う機能を有する装置は、インターフェイス制御切替回路をさらに含み、該インターフェイス制御切替回路は、メイン制御回路と伝送インターフェイスとの間に接続され、伝送インターフェイスがインターフェイス制御切替回路を経由してメイン制御回路に接続されることを禁止または許可するために配置される。
【００１４】
一実施形態において、前記充電及びデータバックアップを同時に行う機能を有する装置は、識別ユニットをさらに含み、該識別ユニットはインターフェイス制御切替回路に接続され、電子装置を識別するために配置され、それによってインターフェイス制御切替回路を制御する。
【００１５】
一実施形態において、前記充電及びデータバックアップを同時に行う機能を有する装置は、認証許可ユニットをさらに含み、該認証許可ユニットはメイン制御回路に接続される。メイン制御回路は認証許可ユニットが電子装置の認証要求に応答して、認証許可メッセージを電子装置に提供するように制御し、それによって電子装置のデータを保存する権限を取得する。
【考案の効果】
【００１６】
以上に説明したように、本考案は充電及びデータバックアップを同時に行う機能を有する装置及び方法を提供し、当該充電及びデータバックアップを同時に行う機能を有する装置及び方法によれば、電子装置（例えば、携帯電話、ノートパソコン）を充電する過程において、同時に電子装置のデータのバックアップを行うことができる。それによって、使用者の時間を節約するとともに、他の装置で装置のデータをバックアップする手間を省くことができる。即ち、一つの装置だけで同時に充電及びデータのバックアップを実現でき、使用者が携帯しやすく、使用の便利性を向上させる。
【図面の簡単な説明】
【００１７】
【図１】本考案の実施形態に係る充電及びデータバックアップを同時に行う機能を有する装置を示す使用模式図である。
【図２Ａ】単一の伝送インターフェイスが設置された本考案の実施形態に係る充電及びデータバックアップを同時に行う機能を有する装置を示す外観模式図である。
【図２Ｂ】二つの同じ形態の伝送インターフェイスが設置された本考案の実施形態に係る充電及びデータバックアップを同時に行う機能を有する装置を示す外観模式図である。
【図２Ｃ】二つの異なる形態の伝送インターフェイスが設置された本考案の実施形態に係る充電及びデータバックアップを同時に行う機能を有する装置を示す外観模式図である。
【図３Ａ】本考案の実施形態に係る充電及びデータバックアップを同時に行う機能を有する装置をノートパソコンに応用した使用模式図である。
【図３Ｂ】本考案の実施形態に係る充電及びデータバックアップを同時に行う機能を有する装置をノートパソコン及び携帯電話に応用した使用模式図である。
【図３Ｃ】本考案の実施形態に係る充電及びデータバックアップを同時に行う機能を有する装置を携帯電話に応用した使用模式図である。
【図４Ａ】本考案の実施形態に係る充電及びデータバックアップを同時に行う機能を有する装置を携帯電話に応用した使用模式図である。
【図４Ｂ】本考案の実施形態に係る充電及びデータバックアップを同時に行う機能を有する装置をノートパソコン及び携帯電話に応用した使用模式図である。
【図４Ｃ】本考案の実施形態に係る充電及びデータバックアップを同時に行う機能を有する装置をノートパソコンに応用した使用模式図である。
【図５】本考案の実施形態に係る充電及びデータバックアップを同時に行う機能を有する装置における二つの伝送インターフェイス、保存回路、メイン制御回路、電力供給回路を示すブロック図である。
【図６】本考案の実施形態に係る充電及びデータバックアップを同時に行う機能を有する装置における二つの伝送インターフェイス、保存回路、メイン制御回路、電力供給回路、インターフェイスアクセス切替回路を示すブロック図である。
【図７】本考案の実施形態に係る充電及びデータバックアップを同時に行う機能を有する装置における二つの伝送インターフェイス、保存回路、メイン制御回路、電力供給回路、電源制御回路を示すブロック図である。
【図８】本考案の実施形態に係る充電及びデータバックアップを同時に行う機能を有する装置における二つの伝送インターフェイス、保存回路、メイン制御回路、電力供給回路、識別ユニット、インターフェイス制御切替回路を示すブロック図である。
【図９】本考案の実施形態に係る充電及びデータバックアップを同時に行う機能を有する装置における二つの伝送インターフェイス、保存回路、メイン制御回路、電力供給回路、認証許可ユニットを示すブロック図である。
【図１０】本考案の実施形態に係る充電及びデータバックアップを同時に行う機能を有する装置における単一の伝送インターフェイス、保存回路、メイン制御回路、電力供給回路、電源制御回路を示すブロック図である。
【考案を実施するための形態】
【００１８】
本考案の特徴及び技術内容をより一層理解できるように、本考案に係る詳細な説明と図面を参照してもよいが、提供される図面は、参照と説明のためのものに過ぎず、本考案を制限するためのものではない。
【００１９】
以下、特定の具体的な実施形態によって本考案が開示する「充電及びデータバックアップを同時に行う機能を有する装置」に係る実施形態を説明し、当業者は、本明細書に開示される内容に基づいて本考案の利点と効果を理解することができる。本考案は、他の異なる具体的な実施形態によって実行又は応用でき、本明細書における各細部についても、異なる観点と用途に基づいて、本考案の構想から逸脱しない限り、各種の修正と変更を行うことができる。また、事前に説明するように、本考案の添付図面は、簡単な模式的説明であり、実際の寸法に基づいて描かれたものではない。以下の実施形態に基づいて本考案に係る技術内容を更に詳細に説明するが、開示される内容は本考案の保護範囲を制限するためのものではない。また、本文に使用される「または」という用語は、実際な状況に応じて、関連して挙げられる項目におけるいずれか１つ又は複数の組み合わせを含む可能性がある。
【００２０】
図１を参照されたい。図１は本考案の実施形態に係る充電及びデータバックアップを同時に行う機能を有する装置を示す使用模式図である。
【００２１】
本考案の実施形態に係る充電及びデータバックアップを同時に行う機能を有する装置ＱＢ０における電力供給回路（未図示）は、外部電源に接続されることができ、それによって外部電源から電力を受ける。例えば、図１に示すように、充電及びデータバックアップを同時に行う機能を有する装置ＱＢ０におけるプラグは延長コードタップにおけるコンセント（３ピンコンセントが例示されるが、これに制限されない）に挿入し、それによって電力供給回路を外部電源に接続し、外部電源によって電力供給回路（電池が例示できるが、これに制限されない）を充電することができる。
【００２２】
充電する前に充分な電力を有する時、充電する過程において充分な電力を有するまで充電した後、充電及びデータバックアップを同時に行う機能を有する装置ＱＢ０は各種の電子装置の充電及び各種の電子装置のデータのバックアップに応用できる。
【００２３】
本文では、図１に示すように、第１の電子装置ＥＬ１はノートパソコンであり、第２の電子装置ＥＬ２は携帯電話であるが、これらは例示に過ぎず、本考案はこれに制限されない。実務上、他の数量、型態、各種のオペレーションシステムがインストールされた電子装置に変更することができる。理解すべきことに、本文での「第１の」及び「第２の」といった用語は、説明のために異なる素子を区別することに使用するものに過ぎず、特定の順序または特定の形態を有する素子を指すものではない。
【００２４】
本考案の実施形態に係る充電及びデータバックアップを同時に行う機能を有する装置ＱＢ０におけるベースに複数の挿入孔、例えば図１に示すように三つの挿入孔が設置されてもよいが、これに制限されない。第１の充電・データ伝送ケーブルＷＲ１の一方端は複数の挿入孔における第１の挿入孔に挿入されることができ、第１の充電・データ伝送ケーブルＷＲ１の他方端は第１の電子装置ＥＬ１における接続ポートまたは接続孔に挿入されることができる。それによって第１の電子装置ＥＬ１が本考案の実施形態に係る充電及びデータバックアップを同時に行う機能を有する装置ＱＢ０に接続される。
【００２５】
一方、第２の充電・データ伝送ケーブルＷＲ２の一方端は複数の挿入孔における第２の挿入孔に挿入されることができ、第２の充電・データ伝送ケーブルＷＲ２の他方端は第２の電子装置ＥＬ２における接続ポートまたは接続孔に挿入されることができる。それによって第２の電子装置ＥＬ２が本考案の実施形態に係る充電及びデータバックアップを同時に行う機能を有する装置ＱＢ０に接続される。
【００２６】
本考案の実施形態に係る充電及びデータバックアップを同時に行う機能を有する装置ＱＢ０は、電子装置（例えば図１に示す第１の電子装置ＥＬ１、第２の電子装置ＥＬ２）に接続されると、電子装置を充電すると同時に、電子装置のデータをバックアップすることができる。
【００２７】
図２Ａを参照されたい、図２Ａは単一の伝送インターフェイスが設置された本考案の実施形態に係る充電及びデータバックアップを同時に行う機能を有する装置を示す外観模式図である。
【００２８】
本考案の実施形態に係る充電及びデータバックアップを同時に行う機能を有する装置ＱＢ１は、単一の伝送インターフェイス、例えば図２Ａに示す第１の伝送インターフェイス１１（または伝送接続口と称される）を含んでもよい。一本の充電・データ伝送ケーブルを採用することができ、その一方端を第１の伝送インターフェイス１１のソケットに挿入し、他方端を電子装置における接続孔または接続ポートに挿入する。それによって、電子装置を充電及びデータバックアップを同時に行う機能を有する装置ＱＢ１に接続する。このような互いに接続される状態において、充電及びデータバックアップを同時に行う機能を有する装置ＱＢ１は電子装置に対し、同時に充電及びデータバックアップを行うことができる。
【００２９】
図２Ｂを参照されたい、図２Ｂは同じ形態の二つの伝送インターフェイスが設置された本考案の実施形態に係る充電及びデータバックアップを同時に行う機能を有する装置を示す外観模式図である。
【００３０】
図２Ａの実施形態と比較して、本考案の実施形態において、伝送インターフェイスが一つ増設された。図２Ｂに示すように、本考案の実施形態に係る充電及びデータバックアップを同時に行う機能を有する装置ＱＢ０は、二つの伝送インターフェイスを含んでもよく、例えば図２Ｂに示す第１の伝送インターフェイス１１及び第２の伝送インターフェイス１２を含んでもよい。
【００３１】
本考案の実施形態において、例えば、第１の伝送インターフェイス１１及び第２の伝送インターフェイス１２は、同じ形態の伝送インターフェイス、例えばＵＳＢ伝送インターフェイス（例えばＴｙｐｅ−Ａ、Ｔｙｐｅ−Ｂ、Ｔｙｐｅ−Ｃまたは他の形態の伝送インターフェイス）であってもよい。以上の説明は例示に過ぎず、本考案はこれに制限されない。
【００３２】
図２Ｃを参照されたい。図２Ｃは二つの異なる形態の伝送インターフェイスが設置された本考案の実施形態に係る充電及びデータバックアップを同時に行う機能を有する装置を示す外観模式図である。
【００３３】
本考案の実施形態に係る充電及びデータバックアップを同時に行う機能を有する装置ＱＢは二つの伝送インターフェイス、例えば図２Ｃに示す第１の伝送インターフェイス１１及び第３の伝送インターフェイス１３を含んでもよい。本実施形態において、二つの伝送インターフェイスは異なる形態の伝送インターフェイスであると例示した。
【００３４】
図２Ｃ、図３Ａ、図３Ｂ及び図３Ｃを参照されたい。なかでも、図２Ｃは二つの異なる形態の伝送インターフェイスが設置された本考案の実施形態に係る充電及びデータバックアップを同時に行う機能を有する装置を示す外観模式図である。図３Ａは本考案の実施形態に係る充電及びデータバックアップを同時に行う機能を有する装置をノートパソコンに応用した使用模式図である。図３Ｂは本考案の実施形態に係る充電及びデータバックアップを同時に行う機能を有する装置をノートパソコン及び携帯電話に応用した使用模式図である。図３Ｃは本考案の実施形態に係る充電及びデータバックアップを同時に行う機能を有する装置を携帯電話に応用した使用模式図である。
【００３５】
図３Ａ〜図３Ｃ及び図２Ｃに示す実施形態に係る充電及びデータバックアップを同時に行う機能を有する装置ＱＢは、それぞれが第１の伝送インターフェイス１１及び第３の伝送インターフェイス１３と表示される、二つの異なる形態の伝送インターフェイスを含む。実務上、本実施形態における前記第３の伝送インターフェイス１３は、他の型態の伝送インターフェイス（例えば、図２Ｂにおける第２の伝送インターフェイス１２）に変更されてもよい。
【００３６】
まず、図３Ａに示すように、本考案の実施形態に係る充電及びデータバックアップを同時に行う機能を有する装置ＱＢを第１の電子装置ＥＬ１（ノートパソコンが例示できるが、これに制限されない）に接続する。この接続した状態において、第１の電子装置ＥＬ１の電力が不足すると、充電及びデータバックアップを同時に行う機能を有する装置ＱＢは第１の電子装置ＥＬ１を充電することができる。
【００３７】
図３Ａに示す配置において、充電の過程中または充電していない時、本考案の実施形態に係る充電及びデータバックアップを同時に行う機能を有する装置ＱＢは、第１の電子装置ＥＬ１が提供するデータを保存することができ、それによって、第１の電子装置ＥＬ１のデータを図２Ｃに示す保存回路３０または保存媒体にバックアップする。あるいは、本考案の実施形態に係る充電及びデータバックアップを同時に行う機能を有する装置ＱＢは、保存回路３０が保存したデータ（バックアップしておいた第１の電子装置ＥＬ１のデータが例示できるが、これに制限されない）を第１の電子装置ＥＬ１に提供することができる。本文で言及されるバックアップは同じデータのコピーペーストを指すが、実務上、データの切り貼り／移動に置換することができる。
【００３８】
そして、図３Ｂに示すように、第２の電子装置ＥＬ２を加入する。本考案の実施形態に係る充電及びデータバックアップを同時に行う機能を有する装置ＱＢが同時に第１の電子装置ＥＬ１及び第２の電子装置ＥＬ２に接続された時、第１の電子装置ＥＬ１が同時に充電される及びデータのバックアップを行うことを依然として許可するが、第２の電子装置ＥＬ２が充電することのみを許可し、データバックアップを行うことを許可しない。
【００３９】
すなわち、本考案の実施形態に係る充電及びデータバックアップを同時に行う機能を有する装置ＱＢは、複数の伝送インターフェイス（例えば第１の伝送インターフェイス１１及び第３の伝送インターフェイス１３）によって、同時に複数の電子装置（例えば第１の電子装置ＥＬ１及び第２の電子装置ＥＬ２）をメイン制御回路４０に接続させた時、メイン制御回路４０は、全ての電子装置に対して保存回路３０で充電される許可を与えてもよいが、例えば一番最初にメイン制御回路４０に接続された第１の電子装置ＥＬ１等単一の電子装置のみに、充電及びデータの伝送を（同時に）行う許可を与えてもよい。本文での前記データ伝送は単方向または双方向のデータ伝送のいずれも構わない。
【００４０】
さらに、第１の電子装置ＥＬ１は、充電及びデータバックアップを同時に行う許可を有する状態において、第２の電子装置ＥＬ２のデータをバックアップする必要がある場合、図３Ｃに示すように、充電及びデータバックアップを同時に行う機能を有する装置ＱＢと第１の電子装置ＥＬ１との間の充電・データ伝送ケーブルによる接続を解除すればよい。この状況において、充電及びデータバックアップを同時に行う機能を有する装置ＱＢは、第２の電子装置ＥＬ２に充電及びデータバックアップを同時に行う権限を許可するように移すことになってもよい。
【００４１】
図２Ｃ、図４Ａ、図４Ｂ及び図４Ｃを参照されたい、なかでも、図２Ｃは二つの異なる形態の伝送インターフェイスが設置された本考案の実施形態に係る充電及びデータバックアップを同時に行う機能を有する装置を示す外観模式図である。図４Ａは本考案の実施形態に係る充電及びデータバックアップを同時に行う機能を有する装置を携帯電話に応用した使用模式図である。図４Ｂは本考案の実施形態に係る充電及びデータバックアップを同時に行う機能を有する装置をノートパソコン及び携帯電話に応用した使用模式図である。図４Ｃは本考案の実施形態に係る充電及びデータバックアップを同時に行う機能を有する装置をノートパソコンに応用した使用模式図である。
【００４２】
上述したように、図３Ａ〜３Ｃに示した前記実施形態においては、充電及びデータバックアップを同時に行う機能を有する装置ＱＢは、まず第１の電子装置ＥＬ１に接続されてから、第２の電子装置ＥＬ２に接続される。一方、図４Ａ〜４Ｃに示す本実施形態においては、充電及びデータバックアップを同時に行う機能を有する装置ＱＢは、まず第２の電子装置ＥＬ２に接続されてから、第１の電子装置ＥＬ１に接続される。そのため、二つの実施形態の実施が異なる。以下に具体的に説明する。
【００４３】
まず、図４Ａに示すように、本考案の実施形態に係る充電及びデータバックアップを同時に行う機能を有する装置ＱＢは、第２の電子装置ＥＬ２のみに接続された時、第２の電子装置ＥＬ２に対し、充電及びデータバックアップを同時に行うことができる。
【００４４】
次いで、図４Ｂに示すように、第１の電子装置ＥＬ１を追加する。本考案の実施形態に係る充電及びデータバックアップを同時に行う機能を有する装置ＱＢは、第１の電子装置ＥＬ１及び第２の電子装置ＥＬ２に同時に接続された時、第２の電子装置ＥＬ２が充電及びデータバックアップを同時に行うことを依然として許可しているが、第１の電子装置ＥＬ１が充電を行うことのみを許可し、データバックアップを行うことは許可しない。
【００４５】
次いで、図４Ｃに示すように、本考案の実施形態に係る充電及びデータバックアップを同時に行う機能を有する装置ＱＢと第２の電子装置ＥＬ２との間の接続が解除された時、第１の電子装置ＥＬ１は充電されることができる以外に、さらに同期的にまたは非同期的にデータのバックアップを行うことができる。
【００４６】
図５を参照されたい、図５は本考案の実施形態に係る充電及びデータバックアップを同時に行う機能を有する装置における二つの伝送インターフェイス、保存回路、メイン制御回路、電力供給回路を示すブロック図である。
【００４７】
図５に示すように、本考案の実施形態に係る充電及びデータバックアップを同時に行う機能を有する装置は、第１の伝送インターフェイス１１、第２の伝送インターフェイス１２、電力供給回路２０、保存回路３０及びメイン制御回路４０を含んでもよい。メイン制御回路４０は、第１の伝送インターフェイス１１、第２の伝送インターフェイス１２、保存回路３０及び電力供給回路２０に接続される。電力供給回路２０は、第１の伝送インターフェイス１１及び第２の伝送インターフェイス１２に接続される。
【００４８】
本文の実施形態に例示した二つの伝送インターフェイス（例えば、第１の伝送インターフェイス１１及び第２の伝送インターフェイス１２）は、同じ形態の伝送インターフェイスであるが、本考案はこれに制限されず、実務上、実際のニーズに応じて、異なる形態の伝送インターフェイスに置換されてもよく、伝送インターフェイスの数量を増加または減少させてもよい。
【００４９】
第１の伝送インターフェイス１１及び第２の伝送インターフェイス１２のそれぞれは、メイン制御回路４０及び電力供給回路２０に接続されてもよい。第１の伝送インターフェイス１１、第２の伝送インターフェイス１２は、例えば、例えばＵＳＢ２．０ケーブル、ＵＳＢ３．０ケーブル、ＵＳＢ４．０ケーブル等のＵＳＢケーブルによってメイン制御回路４０に接続されてもよい。第１の伝送インターフェイス１１、第２の伝送インターフェイス１２は、例えば、ＶＢＵＳ線によって電力供給回路２０に接続されてもよい。以上の説明は例示に過ぎず、本考案はこれに制限されない。
【００５０】
第１の電子装置が第１の伝送インターフェイス１１を経由してメイン制御回路４０及び電力供給回路２０に接続され、並びにメイン制御回路４０が電力供給回路２０に接続された時、メイン制御回路４０は自動的にまたは受動的に電力供給回路２０が第１の電子装置に電力を供給するように制御し、それによって第１の電子装置を充電する。
【００５１】
同様に、第２の電子装置が第２の伝送インターフェイス１２にを経由してメイン制御回路４０及び電力供給回路２０に接続され、並びにメイン制御回路４０が電力供給回路２０に接続された時、メイン制御回路４０は自動的にまたは受動的に電力供給回路２０が第２の電子装置に電力を供給するように制御し、それによって第２の電子装置を充電する。
【００５２】
例えば、メイン制御回路４０は、第１の電子装置が第１の伝送インターフェイス１１を介して電力供給回路２０に接続されたと判断した時、または第２の電子装置が第２の伝送インターフェイス１２を介して電力供給回路２０に接続されたと判断した時、メイン制御回路４０は、自動的に電力供給回路２０が第１の電子装置または第２の電子装置に電力を供給するように制御する。
【００５３】
より実用的には、メイン制御回路４０は第１の電子装置または第２の電子装置の現時点における電気量が閾値よりも低いと判断した時、または現時点における残りの電気量が第１の電子装置または第２の電子装置の電気容量を占める比例が閾値比例以下であると判断した時、メイン制御回路４０は自動的に適切な電気量の電力を第１の電子装置または第２の電子装置に提供する。
【００５４】
またあるいは置換的に、メイン制御回路４０は第１の電子装置または第２の電子装置からの充電指示に応答して、この充電指示が要求する電力を電力供給回路２０が受動的に第１の電子装置または第２の電子装置に供給するように制御する。
【００５５】
特筆に値するのは、充電の過程中または充電していない時、電子装置中の一つ（例えば第１の電子装置）と第１の伝送インターフェイス１１との間に、単方向または双方向にデータを伝送できることにある。すなわち、第１の電子装置は、本考案の実施形態に係る充電及びデータバックアップを同時に行う機能を有する装置により充電及び双方向にデータの伝送を（同時に）行う許可を有している。
【００５６】
メイン制御回路４０が第１の電子装置にデータを伝送する許可を与えた時、第１の電子装置は、データを第１の伝送インターフェイス１１を介してメイン制御回路４０に伝送することができ、次いで、メイン制御回路４０は、データを保存回路３０に伝送し、保存回路３０がデータを保存するように制御し、それによって、第１の電子装置のデータを保存回路３０にバックアップする。
【００５７】
また、メイン制御回路４０が第１の電子装置にデータの伝送に係る許可を与えた時、メイン制御回路４０は、保存回路３０が保存したデータを取得し、次いで、第１の伝送インターフェイス１１を介して第１の電子装置に伝送することができる。例えば、第１の電子装置は、故障または他の原因により内部のデータが消失した時、保存回路３０からバックアップしておいたデータを取得することができる。あるいは、第１の電子装置は他のデータ、例えば第２の電子装置が保存回路３０に保存されておいたデータを取得することができ、それによって第２の電子装置のデータを第１の電子装置に提供する。以上の説明は例示に過ぎず、本考案はこれに制限されない。
【００５８】
本実施形態において、第１の電子装置及び第２の電子装置がそれぞれ第１の伝送インターフェイス１１及び第２の伝送インターフェイス１２を介して、メイン制御回路４０及び電力供給回路２０に接続された時、メイン制御回路４０は第１の電子装置及び第２の電子装置が同期的にまたは非同期的に充電されることを許可する。第１の電子装置及び第１の伝送インターフェイス１１との間の接続が解除されると、第２の電子装置も上述した第１の電子装置のデータを伝送する権限を有してもよい。
【００５９】
図６を参照されたい。図６は本考案の実施形態に係る充電及びデータバックアップを同時に行う機能を有する装置における二つの伝送インターフェイス、保存回路、メイン制御回路、電力供給回路、インターフェイスアクセス切替回路を示すブロック図である。
【００６０】
図５の実施形態と比較して、図６に示すように、本考案の実施形態に係る充電及びデータバックアップを同時に行う機能を有する装置は第１の伝送インターフェイス１１、第２の伝送インターフェイス１２、電力供給回路２０、保存回路３０及びメイン制御回路４０を含む以外に、さらにメイン制御回路４０に接続されたインターフェイスアクセス切替回路５０を含む。
【００６１】
インターフェイスアクセス切替回路５０はスイッチ素子であってもよいが、本考案はこれに制限されない。インターフェイスアクセス切替回路５０は保存回路３０がメイン制御回路４０によって第１の伝送インターフェイス１１（それによって第１の電子装置に接続される）または第２の伝送インターフェイス１２に接続されることを許可する（それによって第２の電子装置に接続される）ために配置されてもよい。インターフェイスアクセス切替回路５０を配置することにより、保存回路３０は同じ時点において、単一の電子装置のデータのみを保存するまたは単一の電子装置のみにデータを提供することができる。単一の電子装置は例えば、第１の電子装置または第２の電子装置である。
【００６２】
図７を参照されたい。図7は本考案の実施形態に係る充電及びデータバックアップを同時に行う機能を有する装置における二つの伝送インターフェイス、保存回路、メイン制御回路、電力供給回路、電源制御回路を示すブロック図である。
【００６３】
図５の実施形態と比較して、図７に示すように、本考案の実施形態に係る充電及びデータバックアップを同時に行う機能を有する装置は第１の伝送インターフェイス１１、第２の伝送インターフェイス１２、電力供給回路２０、保存回路３０及びメイン制御回路４０を含む以外に、さらに電源制御回路６１及び電源制御回路６２を含み、電源制御回路６１及び電源制御回路６２は特定のインターフェイス、例えば第１の伝送インターフェイス１１、第２の伝送インターフェイス１２（例えば二つのインターフェイスのそれぞれはＴｙｐｅ−Ｃインターフェイスである）に適用される。
【００６４】
電源制御回路６１は第１の伝送インターフェイス１１及び電力供給回路２０との間に接続され、電源制御回路６２は第２の伝送インターフェイス１２及び電力供給回路２０との間に接続される。
【００６５】
電源制御回路６１は第１の伝送インターフェイス１１によって第１の電子装置の第１の電力リクエストメッセージを取得し、第１の電力リクエストメッセージによって第１の電子装置の状態（例えば、第１の電子装置の電気容量、現時点における残りの電気量、実行しようとするプロセス、実行しようとするプロセスの実行に必要な電気量）を判断でき、それによって電力供給回路２０が適切な電気量の電力を第１の電子装置に提供するように制御する。類似的に、電源制御回路６２は、第２の伝送インターフェイス１２によって第２の電子装置からの第２の電力リクエストメッセージを取得し、それによって電力供給回路２０が適切な電気量の電力を第２の電子装置に提供するように制御する。
【００６６】
図８を参照されたい。図８は本考案の実施形態に係る充電及びデータバックアップを同時に行う機能を有する装置における二つの伝送インターフェイス、保存回路、メイン制御回路、電力供給回路、識別ユニット、インターフェイス制御切替回路を示すブロック図である。
【００６７】
図５の実施形態と比較して、図８に示すように、本考案の実施形態に係る充電及びデータバックアップを同時に行う機能を有する装置は第１の伝送インターフェイス１１、第２の伝送インターフェイス１２、電力供給回路２０、保存回路３０及びメイン制御回路４０を含む以外に、さらに識別ユニット７０及びインターフェイス制御切替回路８０を含む。
【００６８】
インターフェイス制御切替回路８０は識別ユニット７０に接続され、メイン制御回路４０と第２の伝送インターフェイス１２との間に接続されることができる。インターフェイス制御切替回路８０はスイッチ素子であってもよいが、本考案はこれに制限されない。インターフェイス制御切替回路８０は第２の伝送インターフェイス１２がインターフェイス制御切替回路８０によってメイン制御回路４０に接続されることを禁止または許可するために配置されてもよい。
【００６９】
第２の電子装置は識別メッセージ（第２の電子装置の一意識別子が例示できるが、これに制限されない）を提供でき、該識別メッセージは第２の伝送インターフェイス１２（及びインターフェイス制御切替回路８０）によって識別ユニット７０に伝送される。識別ユニット７０は受信した識別メッセージを解析し、それによって第２の電子装置の許可（例えば、充電及びデータ伝送の許可を有するか否か）を判断する。それによってインターフェイス制御切替回路８０の作動を制御する。
【００７０】
識別ユニット７０は第２の電子装置の識別に成功した時、インターフェイス制御切替回路８０が、第２の電子装置が第２の伝送インターフェイス１２を介してメイン制御回路４０に接続されることを許可するように制御する。逆に、識別ユニット７０が第２の電子装置の識別に失敗した時、インターフェイス制御切替回路８０が、第２の電子装置が第２の伝送インターフェイス１２によってメイン制御回路４０に接続されることを禁止するように制御する。
【００７１】
理解すべきことに、必要があれば、第１の伝送インターフェイス１１及びメイン制御回路４０との間に別のインターフェイス制御切替回路が設置されてもよく、該別のインターフェイス制御切替回路は別の識別ユニットに接続され、第１の電子装置に応用される。上述した識別ユニット７０及びインターフェイス制御切替回路８０が第２の電子装置に応用する場合と概ね同じように実施してもよいため、説明を省略する。
【００７２】
図９を参照されたい。図９は本考案の実施形態に係る充電及びデータバックアップを同時に行う機能を有する装置における二つの伝送インターフェイス、保存回路、メイン制御回路、電力供給回路、認証許可ユニットを示すブロック図である。
【００７３】
理解すべきことに、市販の電子製品のオペレーションシステムの一部は先に認証プロセスを実行し、認証に成功して初めてデータの読み出しなどの作業を開始できることにある。そのため、図５の実施形態と比較して、図９に示すように、本考案の実施形態に係る充電及びデータバックアップを同時に行う機能を有する装置は第１の伝送インターフェイス１１、第２の伝送インターフェイス１２、電力供給回路２０、保存回路３０及びメイン制御回路４０を含む以外に、さらに認証許可ユニット９０を含む。
【００７４】
認証許可ユニット９０はメイン制御回路４０に接続されてもよい。メイン制御回路４０と第１の電子装置または第２の電子装置データとの間にデータを伝送するまたは他の作業を行う前に、特定のオペレーションシステムを採用した第１の電子装置または第２の電子装置は認証要求を出力し、それによって（身分）認証の完了を要求する。
【００７５】
この状況において、メイン制御回路４０は認証要求に応答して、認証許可ユニット９０から対応の認証許可メッセージを取得し、第１の伝送インターフェイス１１または第２の伝送インターフェイス１２によって第１の電子装置または第２の電子装置に伝送することができる。それによって第１の電子装置または第２の電子装置の使用許可、例えばデータの保存許可を取得する。
【００７６】
図１０を参照されたい。図１０は本考案の実施形態に係る充電及びデータバックアップを同時に行う機能を有する装置における単一の伝送インターフェイス、保存回路、メイン制御回路、電力供給回路、電源制御回路を示すブロック図である。
【００７７】
図１０に示すように、本考案の実施形態に係る充電及びデータバックアップを同時に行う機能を有する装置は第１の伝送インターフェイス１１、電力供給回路２０、保存回路３０、メイン制御回路４０及び電源制御回路６１を含んでもよく、単一の電子装置、例えば第１の電子装置に応用される。もっと多い電子装置（例えば二つの電子装置）に応用する場合、図７に示す実施形態のように配置してもよい。
【００７８】
第１の電子装置が第１の伝送インターフェイス１１によってメイン制御回路４０に接続された時、メイン制御回路４０は自動的にまたは受動（例えば手動）的に保存回路３０が第１の電子装置のデータを保存するまたは第１の電子装置にデータを提供するように制御し、並びに電力供給回路２０が第１の電子装置に電力を供給するように制御してもよい。それによって第１の電子装置に同時に充電及びデータバックアップを行い、時間を効果的に節約する。
【実施形態による有利な效果】
【００７９】
本考案の有利な効果の一つとして、本考案が提供する充電及びデータバックアップを同時に行う機能を有する装置及び方法によれば、電子装置（例えば、携帯電話、ノートパソコン）を充電する過程において、同時に電子装置のデータのバックアップを行うことができる。それによって、使用者の時間を節約するとともに、他の装置で装置のデータをバックアップする手間を省くことができる。即ち、一つの装置だけで充電及びデータのバックアップを同時に行うことが実現でき、使用者が携帯しやすく、使用の便利性を向上させる。
【００８０】
以上に開示された内容は、好ましい本考案に係る実施形態を説明したが、この実施形態は例として提示したものであって、発明の範囲を限定することを意図していない。そのため、本考案の明細書及び図面でなされた均等的な技術的変形は、全て本考案の請求の範囲に含まれるものである。
【符号の説明】
【００８１】
ＥＬ１：第１の電子装置
ＥＬ２：第２の電子装置
ＱＢ、ＱＢ０、ＱＢ１：充電及びデータバックアップを同時に行う機能を有する装置
ＷＲ１：第１の充電・データ伝送ケーブル
ＷＲ２：第２の充電・データ伝送ケーブル
１１：第１の伝送インターフェイス
１２：第２の伝送インターフェイス
１３：第３の伝送インターフェイス
２０：電力供給回路
３０：保存回路
４０：メイン制御回路
５０：インターフェイスアクセス切替回路
６１、６２：電源制御回路
７０：識別ユニット
８０：インターフェイス制御切替回路
９０：認証許可ユニット
【図１】
0003229874.tif 000003
【図２Ａ】
0003229874.tif 000004
【図２Ｂ】
0003229874.tif 000005
【図２Ｃ】
0003229874.tif 000006
【図３Ａ】
0003229874.tif 000007
【図３Ｂ】
0003229874.tif 000008
【図３Ｃ】
0003229874.tif 000009
【図４Ａ】
0003229874.tif 000010
【図４Ｂ】
0003229874.tif 000011
【図４Ｃ】
0003229874.tif 000012
【図５】
0003229874.tif 000013
【図６】
0003229874.tif 000014
【図７】
0003229874.tif 000015
【図８】
0003229874.tif 000016
【図９】
0003229874.tif 000017
【図１０】
0003229874.tif 000018